(57)【要約】【課題】表示部の表示情報の制御をユーザの意図に応じて行なう構成を提供する。【解決手段】情報表示装置の制御部が、入力部の操作情報と入力部に対応して設定された接触センサの検出情報を入力して、これらの入力情報に基づいて表示情報制御を行なう。例えば、入力部に対するユーザ操作に継続する入力部へのユーザ接触が検出された場合、ユーザ操作に応じて表示部に表示した表示情報の継続表示処理を行ない、ユーザの非接触状態への移行時に表示情報の停止処理を行なう。さらに、ユーザ非接触状態に移行後、予め定めた期間内にユーザ接触状態に移行した場合には、停止した表示情報の再表示を行なう。【選択図】図７
2011254539.tif 000002
【特許請求の範囲】
【請求項１】
被写体画像を撮像する撮像部と、
前記被写体画像の記録を指示する第１レベルのユーザ操作と、前記第１レベルのユーザ操作に基づいて記録される被写体記録画像の表示を指示する第２レベルのユーザ操作とを受け付ける入力部と、
表示部と、
ユーザ操作情報に応じて、前記表示部に対する表示情報の制御を実行する制御部を有し、
前記制御部は、
前記入力部に対する第１レベルのユーザ操作に継続して前記入力部に対する第２レベルの操作情報を入力した場合、該第２レベルの操作情報入力期間中は、前記第１レベルのユーザ操作に応じて前記表示部に表示した表示情報の継続表示処理を行なう画像表示装置。
【請求項２】
前記制御部は、
前記第２レベルの操作情報の非入力状態に移行後、予め定めた期間内に、再度、前記第２レベルの操作情報を入力した場合、前記ユーザ操作に応じた表示情報の再表示を行う構成であることを特徴とする請求項１に記載の画像表示装置。
【請求項３】
前記入力部は、撮像装置におけるシャッターであり、
前記第１レベルのユーザ操作は、シャッターの全押し操作であり、前記第２レベルのユーザ操作は、シャッターの半押し操作であり、
前記制御部は、
シャッターの全押し処理に対応する第１レベルのユーザ操作情報と、シャッターの半押し処理に対応する第２レベルのユーザ操作情報を区別して前記表示部に対する情報の表示制御を行なう構成であることを特徴とする請求項１に記載の画像表示装置。
【請求項４】
画像表示装置において実行する画像表示制御方法であり、
制御部が、入力部を介したユーザ操作情報を入力するステップであり、被写体画像の記録を指示する第１レベルのユーザ操作と、前記第１レベルのユーザ操作に基づいて記録される被写体記録画像の表示を指示する第２レベルのユーザ操作とを判別して入力するユーザ操作入力ステップと、
前記制御部が、前記入力部に対するユーザ操作情報に応じて、表示部に対する表示情報の制御を実行する表示制御ステップを実行し、
前記表示制御ステップは、
前記入力部に対する第１レベルのユーザ操作に継続して第２レベルの操作情報を入力した場合、該第２レベルの操作情報入力期間中は、前記第１レベルのユーザ操作に応じて前記表示部に表示した表示情報の継続表示処理を実行するステップを含む画像表示制御方法。
【請求項５】
画像表示装置において画像表示制御を実行させるプログラムであり、
制御部が、入力部を介したユーザ操作情報を入力するステップであり、被写体画像の記録を指示する第１レベルのユーザ操作と、前記第１レベルのユーザ操作に基づいて記録される被写体記録画像の表示を指示する第２レベルのユーザ操作とを判別して入力するユーザ操作入力ステップと、
前記制御部が、前記入力部に対するユーザ操作情報に応じて、表示部に対する表示情報の制御を実行する表示制御ステップを実行させ、
前記表示制御ステップにおいて、
前記入力部に対する第１レベルのユーザ操作に継続して第２レベルの操作情報を入力した場合、該第２レベルの操作情報入力期間中は、前記第１レベルのユーザ操作に応じて前記表示部に表示した表示情報の継続表示処理を実行させるプログラム。
【発明の詳細な説明】
【技術分野】
【０００１】
本発明は、画像表示装置、および画像表示制御方法、並びにプログラムに関する。さらに詳細には、例えばカメラなど表示部を有する情報表示装置などにおいて、表示部に表示される様々な画面の切り替えタイミングをユーザの都合に応じて決定することを可能とした画像表示装置、および画像表示制御方法、並びにプログラムに関する。
【背景技術】
【０００２】
デジタルカメラ、デジタルビデオカメラなどの撮像装置、あるいはその他、表示部を備えた情報処理装置では、表示部としてのディスプレイに様々な表示処理が行われる。
【０００３】
例えばデジタルカメラにおいて、撮影された静止画をカメラの表示部に一定期間表示させ、撮影静止画の確認を可能とした構成がある。このようなカメラの構成については、例えば特許文献１（特許１８４８９６８号）に記載されている。具体的には、撮影前においては、カメラの表示部に撮像部から入力する画像、すなわち動画像をスルー画として表示し、撮影が実行されると撮影された静止画が、一定期間、表示部に表示され、その後、再度スルー画に切り替えられるといった画面切り替えを行なうものである。
【０００４】
しかし、このような画面推移のタイミングは、予め固定されたタイミングで行なわれてしまい、撮影後に一定期間表示される静止画を撮影者自身が確認することができても、撮影された被写体となった人物などに確認してもらうといった場合に、すでに静止画表示期間が経過してしまい、表示部の表示が撮影静止画からスルー画に切り替わってしまい、確認が間に合わなくなってしまうという場合がある。このような場合は、メディアに記録された撮影後の画像から撮影画像を検索して再表示させるといった処理を行わなければならなくなり、ユーザの負担となる。
【０００５】
また、カメラに限らず、様々な表示部を持つ情報処理装置では、表示部に装置の操作説明や、装置の設定状態（モード）の説明など、様々な画面表示が行われるものがある。例えば、カメラにおいて撮影モードの切り替えを行った場合、表示部に一定期間、モードの説明などを表示し、ユーザが確認できる設定としたものがある。しかし、このような説明の表示期間も予めカメラに設定された時間として設定されており、一定期間後には説明が表示部から消えてしまい、ユーザが表示された説明を十分確認する前に表示が消えてしまうといったことが発生する。
【先行技術文献】
【特許文献】
【０００６】
【特許文献１】特許１８４８９６８号公報
【発明の開示】
【発明が解決しようとする課題】
【０００７】
本発明は、上述の問題点に鑑みてなされたものであり、例えばカメラなど表示部を有する情報表示装置において、表示部に表示される様々な画面の切り替えタイミングをユーザの都合に応じて決定することを可能とした画像表示装置、および画像表示制御方法、並びにプログラムを提供することを目的とする。
【課題を解決するための手段】
【０００８】
本発明の第１の側面は、
被写体画像を撮像する撮像部と、
前記被写体画像の記録を指示する第１レベルのユーザ操作と、前記第１レベルのユーザ操作に基づいて記録される被写体記録画像の表示を指示する第２レベルのユーザ操作とを受け付ける入力部と、
表示部と、
ユーザ操作情報に応じて、前記表示部に対する表示情報の制御を実行する制御部を有し、
前記制御部は、
前記入力部に対する第１レベルのユーザ操作に継続して前記入力部に対する第２レベルの操作情報を入力した場合、該第２レベルの操作情報入力期間中は、前記第１レベルのユーザ操作に応じて前記表示部に表示した表示情報の継続表示処理を行なう画像表示装置にある。
【０００９】
さらに、本発明の画像表示装置の一実施態様において、前記制御部は、前記第２レベルの操作情報の非入力状態に移行後、予め定めた期間内に、再度、前記第２レベルの操作情報を入力した場合、前記ユーザ操作に応じた表示情報の再表示を行う構成であることを特徴とする。
【００１０】
さらに、本発明の画像表示装置の一実施態様において、前記入力部は、撮像装置におけるシャッターであり、前記第１レベルのユーザ操作は、シャッターの全押し操作であり、前記第２レベルのユーザ操作は、シャッターの半押し操作であり、前記制御部は、シャッターの全押し処理に対応する第１レベルのユーザ操作情報と、シャッターの半押し処理に対応する第２レベルのユーザ操作情報を区別して前記表示部に対する情報の表示制御を行なう構成であることを特徴とする。
【００１１】
さらに、本発明の第２の側面は、
画像表示装置において実行する画像表示制御方法であり、
制御部が、入力部を介したユーザ操作情報を入力するステップであり、被写体画像の記録を指示する第１レベルのユーザ操作と、前記第１レベルのユーザ操作に基づいて記録される被写体記録画像の表示を指示する第２レベルのユーザ操作とを判別して入力するユーザ操作入力ステップと、
前記制御部が、前記入力部に対するユーザ操作情報に応じて、表示部に対する表示情報の制御を実行する表示制御ステップを実行し、
前記表示制御ステップは、
前記入力部に対する第１レベルのユーザ操作に継続して第２レベルの操作情報を入力した場合、該第２レベルの操作情報入力期間中は、前記第１レベルのユーザ操作に応じて前記表示部に表示した表示情報の継続表示処理を実行するステップを含む画像表示制御方法にある。
【００１２】
さらに、本発明の第３の側面は、
画像表示装置において画像表示制御を実行させるプログラムであり、
制御部が、入力部を介したユーザ操作情報を入力するステップであり、被写体画像の記録を指示する第１レベルのユーザ操作と、前記第１レベルのユーザ操作に基づいて記録される被写体記録画像の表示を指示する第２レベルのユーザ操作とを判別して入力するユーザ操作入力ステップと、
前記制御部が、前記入力部に対するユーザ操作情報に応じて、表示部に対する表示情報の制御を実行する表示制御ステップを実行させ、
前記表示制御ステップにおいて、
前記入力部に対する第１レベルのユーザ操作に継続して第２レベルの操作情報を入力した場合、該第２レベルの操作情報入力期間中は、前記第１レベルのユーザ操作に応じて前記表示部に表示した表示情報の継続表示処理を実行させるプログラムにある。
【００１３】
なお、本発明のプログラムは、例えば、様々なプログラム・コードを実行可能な汎用コンピュータ・システムに対して、コンピュータ可読な形式で提供する記憶媒体、通信媒体によって提供可能なコンピュータ・プログラムである。このようなプログラムをコンピュータ可読な形式で提供することにより、コンピュータ・システム上でプログラムに応じた処理が実現される。
【００１４】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１５】
本発明の一実施例構成によれば、情報表示装置の制御部が、入力部の操作情報と入力部に対応して設定された接触センサの検出情報を入力して、これらの入力情報に基づいて表示部に対する表示情報の制御を実行する。例えば、入力部に対するユーザ操作に継続する入力部へのユーザ接触が検出された場合、ユーザ操作に応じて表示部に表示した表示情報の継続表示処理を行ない、ユーザの非接触状態への移行時に表示情報の停止処理を行なう。さらに、ユーザ非接触状態に移行後、予め定めた期間内にユーザ接触状態に移行した場合には、停止した表示情報の再表示を行なう。本構成により、例えば撮像装置におけるシャッター操作によって撮影した静止画の表示期間をユーザによるシャッターへの接触で調整可能となり、ユーザの意思に応じたデータ表示制御が可能となる。
【図面の簡単な説明】
【００１６】
【図１】本発明の情報表示装置の一実施例としての撮像装置の構成について説明する図である。
【図２】本発明の一実施例の情報表示装置のハードウェア構成例について説明する図である。
【図３】本発明の一実施例の情報表示装置の表示部に表示される表示データ例について説明する図である。
【図４】本発明の一実施例の情報表示装置の表示部に表示される表示データの遷移例について説明する図である。
【図５】本発明の一実施例の情報表示装置の表示部に表示される表示データの遷移シーケンスについて説明する図である。
【図６】本発明の一実施例の情報表示装置の表示部に表示される表示データの遷移シーケンスについて説明する図である。
【図７】本発明の一実施例の情報表示装置の表示部に表示される表示データの遷移シーケンスについて説明するフローチャートを示す図である。
【図８】本発明の一実施例の情報表示装置の表示部に表示される表示データ例について説明する図である。
【図９】本発明の一実施例の情報表示装置の表示部に表示される表示データの遷移例について説明する図である。
【図１０】本発明の一実施例の情報表示装置の表示部に表示される表示データの遷移シーケンスについて説明する図である。
【図１１】本発明の一実施例の情報表示装置の表示部に表示される表示データの遷移シーケンスについて説明する図である。
【図１２】本発明の一実施例の情報表示装置の表示部に表示される表示データの遷移シーケンスについて説明するフローチャートを示す図である。
【発明を実施するための形態】
【００１７】
以下、図面を参照しながら、本発明の画像表示装置、および画像表示制御方法、並びにプログラムの詳細について説明する。以下、本発明の撮像装置および情報表示装置の一実施例について説明する。
【００１８】
まず、図１、図２を参照して撮像装置の外観構成とハードウェア構成例について説明する。図１は、撮像装置１０の外観を示す図である。図１（ａ）は、撮像装置１００の正面図、（ｂ）は上面図、（ｃ）は背面図である。（ｂ）上面図のレンズ部分は断面図として示してある。撮像装置１００は、レンズ部１０１、シャッター１０２、静止画撮影モード、動画撮影モードなどのモード設定を行なうモード選択ダイヤル１０３、ズーム設定を行うズームボタン１０４、各種設定、操作を行なう操作ボタン１０５、さらに、撮像装置によって撮影される画像（スルー画像）や操作情報などを表示する表示部（モニタ）１０６を有する。
【００１９】
被写体画像は、表示部（モニタ）１０６に表示される。表示部１０６は例えばＬＣＤによって構成され、レンズを介する被写体画像が動画像として映し出される。この動画像はスルー画と呼ばれる。さらに、表示部１０６は、撮像装置において撮影された画像である静止画の表示、あるいは各種操作情報、設定情報などの説明情報の表示領域としても利用される。
【００２０】
次に、図２を参照して本発明の情報表示装置の一実施例に係る撮像装置の主要ハードウェア構成について説明する。図２には、撮像装置を構成するハードウェア中、本発明に関連する構成要素のみを選択して示したブロック図である。撮像装置は制御部（ＣＰＵ）２０１、図１に示すシャッター１０２、モード選択ダイヤル１０３、ズームボタン１０４、操作ボタン１０５等からなる入力部２０２、接触センサ２０３、メモリ２０４、表示部１０６、タイマ２０６、電源２０７を有する。表示部１０６は、図１に示す表示部１０６に対応する。
【００２１】
制御部２０１は、例えば入力部２０２、接触センサ２０３を介する操作情報を入力して、撮像装置におけるデータ処理の制御を実行する。具体的には、撮影処理の開始、撮影データの信号処理、メモリ２０４に対する記録処理、さらに、ユーザ操作に応じた各種情報の表示部１０６に対する表示制御処理などを実行する。なお、メモリ２０４は撮影データの記録領域のみならず、制御部２０１の実行する処理に対応するプログラムの格納領域、プログラム実行のためのワークエリアとして利用されるメモリ領域を含むメモリである。図では１つのメモリ２０４として示してあるが、様々な用途に応じたＲＡＭ、ＲＯＭ、メディア等を含むメモリである。
【００２２】
接触センサ２０３は、図１に示すシャッター１０２、モード選択ダイヤル１０３、ズームボタン１０４、操作ボタン１０５等からなる入力部２０２の各々に対応して設定され、例えばユーザの指がこれらシャッター１０２、モード選択ダイヤル１０３、ズームボタン１０４、操作ボタン１０５に触れられているか否かを検出し、検出情報を制御部２０１に入力する。
【００２３】
制御部２０１は、入力部２０２から各種の操作情報、すなわち、図１に示すシャッター１０２、モード選択ダイヤル１０３、ズームボタン１０４、操作ボタン１０５の操作情報、およびタイマ２０６の時間情報を入力して、各種操作に応じた処理、例えば撮影処理、表示部１０６に対する表示情報の制御処理などを実行するとともに、入力部２０２に対応する接触センサ２０３、すなわち、図１に示すシャッター１０２、モード選択ダイヤル１０３、ズームボタン１０４、操作ボタン１０５の各々に対応して設定された接触センサ２０３の検出情報に応じて表示部１０６に表示する表示情報の切り替えなど表示制御処理を実行する。
【００２４】
以下、図３以下を参照して、制御部２０１の実行する表示制御処理の詳細について説明する。図３は、ユーザ（撮影者）による被写体の撮影処理を説明する図である。ユーザ（撮影者）３０１は、カメラのシャッター１０２を押下することで、被写体３２１を撮影する。被写体の撮影開始以前にカメラの表示部１０６には、スルー画（動画）が表示され、ユーザ（撮影者）は画面を確認しながら撮影領域を決定して、シャッター１０２を押下して撮影を行なう。撮影を実行すると、表示部１０６撮影された画像、すなわち撮影静止画３２２が表示される。
【００２５】
従来の一般的なカメラでは、この撮影静止画の表示時間はカメラに予め設定された固定時間、例えば５秒といった固定時間に設定されており、その表示期間が経過すると、自動的にスルー画表示に切り替えられてしまっていた。このように、画面切り替えタイミングが固定されたタイミングで行なわれてしまうと、前述したように、撮影した被写体となった人物などに撮影画像を確認してもらうといった場合に、すでに静止画表示期間が経過してしまい、確認が間に合わなくなってしまうという場合がある。このような場合は、メディアに記録された撮影後の画像から撮影画像を検索して再表示させるといった処理を行わなければならなくなり、ユーザの負担となる。
【００２６】
本発明の一実施例の構成では、表示部１０６の表示データの切り替えを、図２を参照して説明した接触センサ２０３の検出情報、すなわち、ユーザの指などが入力部２０１に触れられているか否かの検出情報に基づいて制御部２０１が制御する。
【００２７】
図４は、本発明の表示制御例を示す図である。図４（ａ）は、ユーザ３０１によるシャッター１０２の操作によって撮影処理が実行された時点の状態であり、表示部１０６には、撮影静止画３２２が表示される。本発明の表示制御では、ユーザ３０１が入力部、この場合はシャッター１０２を触れている期間は、表示部１０６に撮影静止画３２２の表示を継続して行なう。すなわち、一定期間経過後に自動的にスルー画に切り替えるのではなく、図２に示す制御部２０１が、接触センサ２０３からユーザが接触している、すなわち、この場合は、シャッター１０２に対応する接触センサによってユーザがシャッター１０２に指を触れている状態にあるか否かの検出情報を入力し、ユーザがシャッター１０２に指を触れている状態にあることが検出されている期間、すなわち、接触センサの検出情報がＯＮである期間は、表示部１０６に撮影静止画３２２の表示を継続して行なう。
【００２８】
ユーザの指がシャッター１０２から離れ、接触センサの検出情報がＯＦＦになったことが検出されると、図４（ｂ）に示すように、表示部１０６の表示は、更新され、例えばスルー画に切り替えられる。
【００２９】
さらに、図４（ｂ）に示すように表示部１０６の表示がスルー画に切り替えられた後も、そのスルー画切り替え時点から、予め定めた期間以内に、シャッター１０２に対応する接触センサによってユーザがシャッター１０２に指を触れていることが再検出された場合、すなわち、接触センサの検出情報がＯＦＦからＯＮに再度変化した場合は、図４（ｃ）に示すように、再度、表示部１０６の表示をスルー画から、撮影静止画３２２に切り替える処理を実行する。
【００３０】
このように、本発明に従った表示制御では、ユーザの入力部に対する接触情報に基づいて表示の切り替えを行なう構成としたので、ユーザの意思に従って表示データの切り替えを制御することが可能となり、例えば、被写体となった人物に撮影画像を確認してもらうといった場合、シャッターに指を触れていれば、時間が経過しても継続して撮影静止画が表示部に表示されることになるので、撮影画像の確認などをスムーズに行なうことが可能となる。
【００３１】
本発明に従った表示制御のシーケンスについて、図５、図６を参照して説明する。図５（１）は、従来型のカメラにおける撮影静止画の表示シーケンスを示している。静止画の撮影を行った撮影時間を（Ｔ１）とすると、予め設定された静止画表示期間（Ｔ１〜Ｔ２）は表示部に静止画が表示されるが、予め設定された静止画表示期間が終了した時間Ｔ２に至ると強制的にスルー画への切り替えが実行される。
【００３２】
図５（２）は、本発明の表示制御の一例であり、接触センサからの接触情報の検出に基づく表示制御例である。本発明に従った撮影静止画表示制御では、静止画の撮影を行った撮影時間を（Ｔ１）として、その後、接触センサからのユーザ接触情報に応じて表示の切り替え制御行なう。すなわち本例の場合はシャッターに対応して設定された接触センサから、ユーザがシャッターに触れているか否かの検出情報を制御部２０１が入力し、ユーザがシャッターに触れていることが検出されている期間は、撮影静止画表示期間として設定する。
【００３３】
図５（２）には、（ａ）表示情報と（ｂ）接触情報検出信号を示している。（ｂ）接触情報検出信号がＯＮの期間はたとえば撮影者であるユーザがシャッターに触れている期間であり、この期間は、接触センサ２０３から制御部２０１にユーザがシャッターに触れていることを示す状態検出信号（ＯＮ）が入力される。この期間は、表示部１０６の表示を撮影静止画に維持する。ユーザがシャッターから手を離すと（ｂ）接触情報検出信号はＯＦＦとなり、この時点で、制御部２０１は、表示部１０６の表示を撮影静止画からスルー画に切り替える。
【００３４】
このように、本発明の撮像装置の制御部２０１は、ユーザの操作する入力部にユーザが触れているか否かの接触情報を接触センサ２０３から入力し、接触情報が（ＯＮ）である場合は、表示部１０６の表示データの切り替えを行わない構成であるので、ユーザの意思に応じた表示データの切り替えを行なうことが可能となる。
【００３５】
図６には、さらに、本発明の表示制御の一例を示している。本発明の表示制御では、図５（２）を参照して説明したように、ユーザがシャッターに触れていることが検出されている期間は、撮影静止画表示期間として設定し、ユーザがシャッターから手を離して、接触情報検出信号がＯＦＦとなると、制御部２０１は、表示部１０６の表示を撮影静止画からスルー画に切り替える処理を行なうが、さらに、表示部１０６の表示を撮影静止画からスルー画に切り替えた後、タイマ２０６によって計測される予め定めた期間［Ｔｂ］以内に、再度ユーザが入力部（シャッター）２０２に触れ、接触センサ２０３からの接触情報検出信号がＯＮとなると、制御部２０１は、表示部１０６の表示をスルー画から撮影静止画に切り替える処理を行なう。
【００３６】
このように、ユーザは一旦、入力部（シャッター）２０２から指を離したとしても、一定の期間［Ｔｂ］以内に、再度、入力部（シャッター）２０２に触れることで、再度、表示部１０６の表示を撮影静止画に切り替えることが可能となる。
【００３７】
本発明の撮像装置の制御部の実行する表示部に対する表示データ制御処理のシーケンスについて、図７に示すフローチャートを参照して説明する。図７は、入力部を介してユーザがある操作、例えばシャッダー操作による静止画撮影を実行した後の制御部の行なう表示制御処理を示している。
【００３８】
まず、ステップＳ１０１において、制御部は、表示部に撮影された静止画を表示する。次に、ステップＳ１０２において、予め規定された静止画表示時間［Ｔａ］が経過したか否かを判定し、経過していない場合は、撮影静止画表示を継続し、経過した場合は、ステップＳ１０３に進む。ステップＳ１０３では、接触センサから入力する接触情報、すなわちユーザが入力部に触れているか否かの接触情報を入力し、接触していることを示す接触情報［ＯＮ］が入力されているか否かを判定する。
【００３９】
接触していることを示す接触情報［ＯＮ］が入力されている場合は、ステップＳ１０１に戻り、表示部に対する表示データを撮影静止画とした設定状態を継続する。ステップＳ１０３においてユーザが入力部に触れていることが検出されていない場合、すなわち接触情報が［ＯＦＦ］の場合は、ステップＳ１０４に進み、表示部の表示をスルー画に変更する。さらに、ステップＳ１０５において、静止画表示からスルー画表示に切り替えた時間から、予め設定された時間［Ｔｂ］が経過する前に、ユーザが入力部（シャッター）に接触したことを示す接触情報［ＯＮ］が入力されたか否かを判定し、接触が検出された場合はステップＳ１０６に進み、表示部に対する表示データをスルー画から撮影静止画に切り替える処理を実行する。
【００４０】
さらに、ステップＳ１０７において、入力部（シャッター）の接触情報が［ＯＮ］であるか否かを判定し、ＯＮである場合は、ステップＳ１０６の撮影静止画表示を継続して実行し、ＯＦＦになった場合は、ステップＳ１０４に進み、表示部の表示を撮影静止画からスルー画に切り替える処理を実行する。ステップＳ１０５において、静止画表示からスルー画表示に切り替えた時間から、予め設定された時間［Ｔｂ］が経過する前に、ユーザが入力部（シャッター）に接触したことを示す接触情報［ＯＮ］が入力されなかった場合には処理を終了する。この時点で、接触センサの入力に基づく撮影静止画の表示は終了する。
【００４１】
なお、上記実施例では、制御部が接触センサの入力情報に基づいて、表示制御を行なう構成として説明したが、接触センサではなく、例えば、シャッターなどの入力部の半押し状態の有無を検出して、入力部の半押し状態を前述の接触センサの検出情報［ＯＮ］と同様に解釈して、半押し状態である場合には、入力部の操作に対応する情報、例えばシャッターである場合は、撮影静止画の継続表示を実行し、スルー画に切り替えられた後であっても、一定期間［Ｔｂ］以内に入力部の半押しを実行した場合に、入力部の操作に対応する情報、シャッターであれば撮影静止画に切り替える表示制御を制御部が実行する構成としてもよい。
【００４２】
上記実施例では、ユーザが操作する入力部をシャッターとして、静止画の撮影を行った場合の表示データの制御処理を説明した。本発明は、静止画撮影に伴う表示データの制御のみならず、その他の入力部、例えば、図１を参照して説明したシャッター１０２、静止画撮影モード、動画撮影モードなどのモード設定を行なうモード選択ダイヤル１０３、ズーム設定を行うズームボタン１０４、各種設定、操作を行なう操作ボタン１０５、これらの各入力部の操作においても、上記と同様の表示制御を行なう。
【００４３】
図８以下を参照して、静止画撮影モード、動画撮影モードなどのモード設定を行なうモード選択ダイヤル１０３の操作時の表示部１０６の表示データの制御処理例について説明する。図８は、ユーザ３０１が、モード選択ダイヤル１０３を操作した場合の表示部１０６の表示データの遷移例を示す図である。
【００４４】
図８（ａ）に示すように、モード選択ダイヤル１０３が静止画モードの設定にあるとき、ユーザ３０１がモード選択ダイヤル１０３を操作して動画モードの設定に変更すると、図８（ｂ）に示すように、表示部１０６には、変更したモードに対応する説明情報３５１が表示される。
【００４５】
多くの従来の機器では、このように説明情報の表示期間は、予め機器に設定された期間［Ｔａ］に固定され、表示期間を経過すると、説明情報は消えてしまう。これは、前述のシャッター操作による静止画表示期間と同様である。
【００４６】
本発明の装置においては、図９（ｃ）に示すようにユーザ３０１が入力部、この場合はモード選択ダイヤル１０３に触れている期間は、継続して説明情報３５１の表示を行なう。ユーザ３０１がモード選択ダイヤル１０３の接触状態を解除した場合、図９（ｄ）に示すように説明情報の表示を消去する。
【００４７】
すなわち、図２に示す構成において、制御部２０１が、入力部２０２、本例ではモード選択ダイヤル１０３に対応する接触センサ２０３からの接触情報を入力して表示部１０６の表示データの制御を行う。なお、本例においても、一旦、図９（ｄ）に示すように、説明情報の表示が解除された場合でも、予め設定された期間［Ｔｂ］内にユーザがモード選択ダイヤルに触れた場合には、説明情報３５１の再表示を実行する。
【００４８】
本実施例に従った表示制御のシーケンスについて、図１０、図１１を参照して説明する。図１０は、本実施例の表示制御の一例であり、接触センサからの接触情報の検出に基づく表示制御例である。本実施例に従った表示制御では、入力部（モード選択ダイヤル）の操作を行った操作時間を（Ｔ１）として、その後、接触センサからのユーザ接触情報に応じて表示の切り替え制御行なう。すなわち本例の場合はモード選択ダイヤルに対応して設定された接触センサから、ユーザがモード選択ダイヤルに触れているか否かの検出情報を制御部２０１が入力し、ユーザがモード選択ダイヤルに触れていることが検出されている期間は、入力部の操作に基づいて表示した情報の表示期間、この例では、モード説明情報の表示期間として設定する。
【００４９】
図１０には、（ａ）表示情報と（ｂ）接触情報検出信号を示している。（ｂ）接触情報検出信号がＯＮの期間はユーザが入力部（モード選択ダイヤル）に触れている期間であり、この期間は、接触センサ２０３から制御部２０１にユーザが入力部（モード選択ダイヤル）に触れていることを示す状態検出信号（ＯＮ）が入力される。ユーザが入力部（モード選択ダイヤル）から手を離すと（ｂ）接触情報検出信号はＯＦＦとなり、この時点で、制御部２０１は、表示部１０６の表示を入力部の操作に基づいて表示した情報の表示、この例ではモード説明情報の表示状態を停止し、その他の情報表示、例えばスルー画表示に切り替える。
【００５０】
このように、本発明の撮像装置の制御部２０１は、ユーザの操作する入力部にユーザが触れているか否かの接触情報を接触センサ２０３から入力し、接触情報が（ＯＮ）である場合は、表示部１０６の表示データの切り替えを行わない構成であるので、ユーザの意思に応じた表示データの切り替えを行なうことが可能となり、モードの説明などを、時間をかけて読むことが可能となりユーザの理解に対応して表示時間を制御することが可能となる。
【００５１】
図１１は、先に説明したシャッター操作の図６に対応する表示制御の一例を示している。ユーザが入力部（モード選択ダイヤル）から手を離して、接触情報検出信号がＯＦＦとなると、制御部２０１は、表示部１０６の表示を説明情報からスルー画に切り替える処理を行なうが、さらに、表示部１０６の表示を説明情報からスルー画に切り替えた後、タイマ２０６によって計測される予め定めた期間［Ｔｂ］以内に、再度ユーザが入力部（モード選択ダイヤル）２０２に触れ、接触センサ２０３からの接触情報検出信号がＯＮとなると、制御部２０１は、表示部１０６の表示をスルー画から説明情報に切り替える処理を行なう。
【００５２】
このように、ユーザは一旦、入力部（モード選択ダイヤル）２０２から指を離したとしても、一定の期間［Ｔｂ］以内に、再度、入力部（モード選択ダイヤル）２０２に触れることで、再度、表示部１０６の表示を入力部の操作時に表示される情報、この場合は、モード選択ダイヤルの設定モードに対応するモード説明情報に切り替えることが可能となる。
【００５３】
本実施例の表示データ制御処理のシーケンスについて、図１２に示すフローチャートを参照して説明する。図１２は、入力部を介してユーザがある操作、例えば入力部（モード選択ダイヤル）操作を実行した後の制御部の行なう表示制御処理を示している。
【００５４】
まず、ステップＳ２０１において、制御部は、表示部に入力部に対するユーザ操作に基づく情報を表示する。例えばモード選択ダイヤル１０３の操作であれば、モード選択ダイヤル１０３の操作によって設定したモードに対応する説明情報の表示を実行する。次に、ステップＳ２０２において、予め規定されたユーザ操作に対応する情報表示期間［Ｔａ］が経過したか否かを判定し、経過していない場合は、ユーザ操作に対応する情報（例えばモード説明情報）の表示を継続し、経過した場合は、ステップＳ２０３に進む。ステップＳ２０３では、接触センサから入力する接触情報、すなわちユーザが入力部に触れているか否かの接触情報を入力し、接触していることを示す接触情報［ＯＮ］が入力されているか否かを判定する。
【００５５】
接触していることを示す接触情報［ＯＮ］が入力されている場合は、ステップＳ２０１に戻り、表示部に対する表示データを、ユーザ操作に対応する情報（例えばモード説明情報）とした設定状態を継続する。ステップＳ２０３においてユーザが入力部に触れていることが検出されていない場合、すなわち接触情報が［ＯＦＦ］の場合は、ステップＳ２０４に進み、表示部の表示を変更、例えばスルー画に変更する。さらに、ステップＳ２０５において、ユーザ操作に対応する情報（例えばモード説明情報）表示からスルー画表示に切り替えた時間から、予め設定された時間［Ｔｂ］が経過する前に、ユーザが入力部（例えばモード選択ダイヤル）に接触したことを示す接触情報［ＯＮ］が入力されたか否かを判定し、接触が検出された場合はステップＳ２０６に進み、表示部に対する表示データをスルー画からユーザ操作に対応する情報（例えばモード説明情報）に切り替える処理を実行する。
【００５６】
さらに、ステップＳ２０７において、入力部（例えばモード選択ダイヤル）の接触情報が［ＯＮ］であるか否かを判定し、ＯＮである場合は、ステップＳ２０６のユーザ操作に対応する情報（例えばモード説明情報）の表示を継続して実行し、ＯＦＦになった場合は、ステップＳ２０４に進み、表示部の表示をユーザ操作に対応する情報（例えばモード説明情報）表示からスルー画に切り替える処理を実行する。ステップＳ２０５において、ユーザ操作対応情報（例えばモード説明情報）表示からスルー画表示に切り替えた時間から、予め設定された時間［Ｔｂ］が経過する前に、ユーザが入力部（シャッター）に接触したことを示す接触情報［ＯＮ］が入力されなかった場合には処理を終了する。この時点で、接触センサの入力に基づくユーザ操作対応情報（例えばモード説明情報）の表示は終了する。
【００５７】
上記実施例では、ユーザが操作する入力部をモード選択ダイヤル１０３としたが、この他のズーム設定を行うズームボタン１０４、各種設定、操作を行なう操作ボタン１０５、あるいはレリーズボタンなど、各入力部の操作においても、上記と同様の表示制御を行なう。例えば、レリーズボタンなどの応圧手段が撮影動作の後、継続して応圧されている場合に上述の表示制御を行う。さらに、リモコン装置を利用した操作において適用する構成としてもよい。
【００５８】
また、上記実施例では、撮像装置を例として表示部が撮像装置に一体化されたモニタの設定例として説明したが、たとえばケーブル接続によって接続されるＰＣ、ディスプレイなどのモニタを表示手段として適用する構成としてもよい。
【００５９】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００６０】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【００６１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００６２】
以上、説明したように、本発明の一実施例構成によれば、情報表示装置の制御部が、入力部の操作情報と入力部に対応して設定された接触センサの検出情報を入力して、これらの入力情報に基づいて表示部に対する表示情報の制御を実行する。例えば、入力部に対するユーザ操作に継続する入力部へのユーザ接触が検出された場合、ユーザ操作に応じて表示部に表示した表示情報の継続表示処理を行ない、ユーザの非接触状態への移行時に表示情報の停止処理を行なう。さらに、ユーザ非接触状態に移行後、予め定めた期間内にユーザ接触状態に移行した場合には、停止した表示情報の再表示を行なう。本構成により、例えば撮像装置におけるシャッター操作によって撮影した静止画の表示期間をユーザによるシャッターへの接触で調整可能となり、ユーザの意思に応じたデータ表示制御が可能となる。
【符号の説明】
【００６３】
１００  撮像装置
１０１  レンズ
１０２  シャッター
１０３  モード選択ダイヤル
１０４  ズームボタン
１０５  操作ボタン
１０６  表示部
２０１  制御部
２０２  入力部
２０３  接触センサ
２０４  メモリ
２０５  表示部
２０６  タイマ
２０７  電源
３０１  ユーザ
３２１  撮影静止画
３３１  スルー画
３５１  説明情報
【図２】
2011254539.tif 000003
【図５】
2011254539.tif 000004
【図６】
2011254539.tif 000005
【図７】
2011254539.tif 000006
【図１０】
2011254539.tif 000007
【図１１】
2011254539.tif 000008
【図１２】
2011254539.tif 000009
【図１】
2011254539.tif 000010
【図３】
2011254539.tif 000011
【図４】
2011254539.tif 000012
【図８】
2011254539.tif 000013
【図９】
2011254539.tif 000014